(57)【特許請求の範囲】
【請求項１】
ほぼ矩形状とされ、下面のほぼ中央に多角錐状の反射凹部が形成されており、前記多角錐状の反射凹部に対応する側面の複数箇所に光放出窓がそれぞれ形成されている透明の樹脂製とされている下ケースと、
該下ケースの上部に嵌合されて内部に収納空間を形成する上ケースと、
該上ケースと前記下ケースとにより形成された収納空間に収納され、下面に発光手段が設けられているアンテナ部とを備え、
前記発光手段が点灯された際に、該発光手段からの光が前記反射凹部で反射されて前記光放出窓からそれぞれ外部へ放出されるようにしたことを特徴とするアンテナ装置。
【請求項２】
前記下ケースの前記反射凹部に対応する上面の箇所に突部が形成されていると共に、前記光放出窓に光を導く導光路が前記突部に連接されてそれぞれ突出するよう形成されていることを特徴とする請求項１記載のアンテナ装置。
【請求項３】
前記アンテナ部は、カードが装着可能な外部の処理装置の送受信アンテナとされており、前記処理装置に正常に前記カードが装着されている際に、前記発光手段が発光するようにされていることを特徴とする請求項１記載のアンテナ装置。
【請求項４】
前記アンテナ部は、摂動素子が形成されている平板状のアンテナ板と、該アンテナ板と所定の間隙を持って対向して配置される平板状のアース板と、前記アンテナ素子と前記アース板との間に配置される所定の誘電率を有するスペーサとからなるパッチアンテナであって、
前記アンテナ板には取付孔が形成されていると共に前記アース板には挿着孔が形成されており、前記スペーサの一面から突出して形成されている第１Ｌ字状保持部が前記取付孔の周囲を挟持することにより、前記アンテナ板が前記スペーサに固着され、前記スペーサの他面から突出して形成されている第２Ｌ字状保持部が前記挿着孔の周囲を挟持することにより、前記アース板が前記スペーサに固着されていることを特徴とする請求項１記載のアンテナ装置。
【請求項５】
前記下ケースは、ほぼ矩形状とされ上面のほぼ中央に嵌合凹部が形成されている本体部と、下面に多角錐状の反射凹部が形成され前記本体部の前記嵌合凹部に嵌合されている反射部とにより構成されていることを特徴とする請求項１記載のアンテナ装置。
【発明の詳細な説明】
【技術分野】
【０００１】
本発明は、内蔵されている発光手段が発光した際に取り付け位置によらず発光していることを確認することができるアンテナ装置に関する。
【背景技術】
【０００２】
従来の例えばＥＴＣ（Electronic Toll Collection System）では、ＥＴＣカードがＥＴＣ車載器本体に正常に読込まれた場合は、ＥＴＣ車載器本体のインジケータを点灯することによりその旨を運転者に報知するようにしている。この車載器本体の設置場所は多様化しており、運転者が走行中に視認しにくい場所に設置されることが多々あり、このような場合は、走行中のインジケータの視認が困難となる。そこで、フロントガラスやダッシュボードに取り付け可能なＥＴＣアンテナにインジケータを設けることが考えられている。
【特許文献１】特開２００６−１５７５７７号公報
【発明の開示】
【発明が解決しようとする課題】
【０００３】
ところで、ＥＴＣ車載器は車両に限らずオートバイにも搭載されるようになってきた。しかしながら、従来のＥＴＣアンテナにおいては、フロントガラスやダッシュボードに取り付けられるもののオートバイには取り付けることができなかった。また、オートバイに取り付けられる構造のＥＴＣアンテナもあるが、オートバイではＥＴＣアンテナを取り付ける位置が特定されていない。このことから、インジケータを内蔵させても見られる方向が特定の方向とされてインジケータの点灯を確認できにくくなることから、インジケータは内蔵されていなかった。
【０００４】
そこで、本発明は、取付位置にかかわらず内蔵されている発光手段の点灯を確認することができるアンテナ装置を提供することを目的としている。
【課題を解決するための手段】
【０００５】
上記目的を達成するために、本発明は、発光手段が点灯された際に、該発光手段からの光が透明の下ケースの下面のほぼ中央に形成された多角錐状の反射凹部で反射されて光放出窓からそれぞれ外部へ放射されるようにしたことを最も主要な特徴としている。
【発明の効果】
【０００６】
本発明によれば、発光手段が点灯された際に、該発光手段からの光が透明の下ケースの下面のほぼ中央に形成された多角錐状の反射凹部で反射されて光放出窓からそれぞれ外部へ放射されるようにしたことから、多方向から発光手段が発光したことを確認することができる。このため、アンテナ装置の取付位置にかかわらず、発光手段が発光したことを確認することができるようになる。
【発明を実施するための最良の形態】
【０００７】
本発明の実施例にかかるアンテナ装置の構成を示す平面図を図１に、本発明にかかるアンテナ装置の構成を示す正面図を図２に、本発明にかかるアンテナ装置の構成を示す側面図を図３に、本発明にかかるアンテナ装置の構成を示す背面図を図４に示す。
本発明にかかるアンテナ装置は、例えばＥＴＣ（Electronic Toll Collection System）車載器用のＥＴＣアンテナとされ、ＥＴＣカードが装着されるＥＴＣ車載器の送受信用アンテナとして接続されている。これらの図に示すように、本発明にかかるアンテナ装置は、アンテナケースとされる電波透過性の合成樹脂からなる上ケース１０と透明の下ケース１２とを備え、このアンテナケース内に後述するアンテナ部が収納されている。上ケース１０および下ケース１２の断面形状はほぼ矩形とされており、下ケース１２の上部に上ケース１０が嵌合されて内部に収納空間が形成されている。この収納空間に収納されたアンテナ部からは、送受信信号を導くケーブル１１が導出されている。
【０００８】
下ケース１２の側面の下部のほぼ直交している３方向には光放出窓１２ａが設けられており、アンテナ部に設けられた発光手段が発光した際に、発光した光が光放出窓１２ａから放射されるようになる。この３方向に設けられた光放出窓１２ａに対応して、下ケース１２の下面には４角錐状の反射凹部１２ｂが形成されている。この反射凹部１２ｂにおける４角錐の各斜面で反射された光が４方向に伝達されて、その内の３方向の光が光放出窓１２ａから放出されるようになる。
次に、本発明にかかるアンテナ装置１の構成をほぼ中央で切断した断面図で示す側面図を図５に示し、アンテナ装置１の構成をほぼ中央で切断した断面図で示す正面図を図６に示す。
【０００９】
図５および図６の説明をするに当たって、アンテナ装置１を構成する各部品の詳細構成を説明する。まず、上ケース１０の詳細構成を図１０ないし図１４に示す。図１０は上ケース１０の構成を示す平面図であり、図１１は上ケース１０の構成を示す正面図であり、図１２は上ケース１０の構成を示すＡ−Ａ線で切断した断面図であり、図１２は上ケース１０の構成を示す背面図であり、図１４は上ケース１０の構成を示すＢ−Ｂ線で切断した断面図である。
これらの図に示す上ケース１０は、合成樹脂を成形して形成されており、下面が開放された矩形状とされている。側面の一面にはケーブル引出部１０ａが設けられており、このケーブル引出部１０ａに形成されている引出孔１０ｂからケーブル１１が導出される。なお、後述するがケーブル１１はパッキンで被覆されて導出され、パッキンの外周が嵌合する半リング状の２本の溝部が引出孔１０ｂに形成されている。また、ケーブル引出部１０ａが設けられている側面を除く３つの側面のほぼ中央下部に矩形状の切欠部１０ｃがそれぞれ形成されている。この切欠部１０ｃからは、下ケース１２に形成されている光放出窓１２ａが臨むようになる。上ケース１０の内面には所定高さの壁部１０ｅが面取りをした矩形状に形成されており、壁部１０ｅにより囲まれた空間がアンテナ部を収納する収納部１０ｄとされている。
【００１０】
次に、下ケース１２の詳細構成を図１５ないし図１８に示す。図１５は下ケース１２の構成を示す平面図であり、図１６は下ケース１２の構成を示す正面図であり、図１７は下ケース１２の構成を示す背面図であり、図１８は下ケース１２の構成を示すＣ−Ｃ線で切断した断面図である。
これらの図に示す下ケース１２は、アクリル樹脂やポリカーボネイトなどの透明の樹脂を成形してほぼ矩形状に形成されている。下ケース１２における本体部１２ｈの上面のほぼ中央には矩形状の所定高さの凸部１２ｃが形成されており、この凸部１２ｃの側面の３方に連接する導光路１２ｉが突出して形成されており、３本の導光路１２ｉの先端にはそれぞれ光放出窓１２ａが形成されている。光放出窓１２ａの先端面は波形に形成されて放出される光が散乱されるようになされている。また、導光路１２ｉおよび光放出窓１２ａが形成されていない側面にはケーブル１１を導出する引出孔１２ｅが形成されている。なお、ケーブル１１を覆うパッキンの外周面に嵌合する半リング状の２本の溝部が引出孔１２ｅに形成されている。
【００１１】
本体部１２ｈの上面には周側面にほぼ沿って面取りした矩形状とされたパッキンが嵌入されるリング状溝部１２ｆが形成されており、さらに、リング状溝部１２ｆの内側の面から立ち上がっているリング状の壁部１２ｇが形成されている。また、本体部１２ｈの下面のほぼ中央には４角錐状の反射凹部１２ｂが形成されている。この反射凹部１２ｂにおける４角錐の各斜面で光が反射され、反射された光は３方向に設けた導光路１２ｉを伝搬していき光放出窓１２ａからそれぞれ放射されるようになる。また、引出孔１２ｅ方向に伝搬された光は引出孔１２ｅの端面から放出されるようになる。さらに、本体部１２ｈの下面の４隅にはゴム足を嵌着する孔部１２ｄがそれぞれ形成されている。なお、下ケース１２における本体部１２ｈの外周形状は、上ケース１０の内周形状とほぼ同形状とされており、上ケース１０を下ケース１２に嵌合することにより、下ケース１２に上ケース１０が固着されると共に、上ケース１０の切欠部１０ｃに３個の光放出窓１２ａがそれぞれ嵌入されて外部に臨むようになる。また、反射凹部１２ｂの各斜面を凸レンズ状に膨出させて反射光を収束して導光路１２ｉに導くようにしても良い。
【００１２】
次に、下ケース１２に形成されたリング状溝部１２ｆ内に嵌入されるパッキン１５の詳細構成を図１９ないし図２１に示す。図１９はパッキン１５の構成を示す平面図であり、図２０はパッキン１５の構成を示す正面図であり、図２１はパッキン１５の構成を示す側面図である。
これらの図に示すパッキン１５は、シリコンゴム等の弾性を有する材質で形成されており、リング部１５ａとケーブル保持部１５ｂとから構成されている。リング部１５ａは、下ケース１２における本体部１２ｈの上面に形成されているリング状溝部１２ｆとほぼ同形状とされており、このリング部１５ａに連接してほぼ円筒形のケーブル保持部１５ｂが形成されている。ケーブル保持部１５ｂを貫通する貫通孔１５ｄ内にはケーブル１１が挿通されて保持され、ケーブル保持部１５ｂの外周面には２本のリング状突出部１５ｃが形成されている。このパッキン１５では、リング部１５ａを下ケース１２に形成されているリング状溝部１２ｆ内に嵌入すると共に、引出孔１２ｅにケーブル保持部１５ｂを嵌入する。これにより、２本のリング状突出部１５ｃがそれぞれ引出孔１２ｅに形成されている半リング状の２本の溝部内に嵌入されるようになる。
【００１３】
次に、上ケース１０と下ケース１２からなるアンテナケース内に収納されるアンテナ部１４の構成を図７ないし図９に示す。図７はアンテナ部１４の構成を示す平面図であり、図８はアンテナ部１４の構成を示す正面図であり、図９はアンテナ部１４の構成を示す断面図で示す正面図である。
これらの図に示すように、アンテナ部１４は放射素子とされる一対の摂動素子２２ａが対角に形成された方形の金属板からなるアンテナ板２２と、アンテナ板２２に所定間隔離隔して対面して設けられている金属板からなるアース板２３と、アンテナ板２２とアース板２３とを所定間隔離隔して保持する所定の誘電率を有する絶縁性のスペーサ２４から構成されている。送受信信号を導出するケーブル１１の芯線１１ａはアンテナ板２２の接続孔２２ｃにハンダ付けされ、アース導体である編組線１１ｃはアース板２３の下面に突出している１対の抱持片２３ｅで保持されると共に電気的に接続されている。
【００１４】
ここで、アンテナ板２２の詳細構成を図２２，図２３に示す。図２２はアンテナ板２２の構成を示す平面図であり、図２３はアンテナ板２２の構成を示す正面図である。
これらの図に示すように、金属板を方形に加工して形成されているアンテナ板２２の対角の頂点が面取りされて一対の摂動素子２２ａが形成されている。また、ほぼ中央部に円形と矩形を組み合わせた取付孔２２ｂが形成されている。さらに、この取付孔２２ｂを挟んで両側に接続孔２２ｃと位置決め孔２２ｄとがそれぞれ形成されている。この接続孔２２ｃにケーブル１１の芯線１１ａがハンダ付けされる。
【００１５】
次に、アース板２３の詳細構成を図２４ないし図２６に示す。図２４はアース板２３の構成を示す平面図であり、図２５はアース板２３の構成を示す正面図であり、図２６はアース板２３の構成を示す側面図である。
これらの図に示すように、アース板２３は金属板を加工してほぼ方形に加工されたアース板本体２３ａを備え、アース板本体２３ａのほぼ中央部に円形と矩形を組み合わせた挿着孔２３ｃが形成されている。アース板本体２３ａの四隅は面取りされている。また、挿着孔２３ｃの右側には挿通孔２３ｄが形成されており、挿通孔２３ｄ側の辺との間に１対の抱持片２３ｅが下面から突出して形成されるよう折曲されている。この１対の抱持片２３ｅをカシメ加工することによりケーブル１１の編組線１１ｃが保持されて、ケーブル１１のアースがアース板２３に接続されるようになる。このケーブル１１の芯線１１ａを被覆している絶縁体１１ｂが挿通孔２３ｄ内を挿通して、芯線１１ａはアース板２３に対して絶縁されるようになる。さらに、抱持片２３ｅが形成されている辺を除く３辺から下向きに折曲された細長い折曲片２３ｂが形成されている。
【００１６】
次に、スペーサ２４の詳細構成を図２７ないし図２９に示す。図２７はスペーサ２４の構成を示す平面図であり、図２８はスペーサ２４の構成を示す正面図であり、図２９はＤ−Ｄ線で切断した断面図である。
これらの図に示すように、ポリアセタール等の樹脂により成形されて所定の誘電率を有するスペーサ２４は中央部のスペーサ本体２４ａとスペーサ本体２４ａの右側に延伸して形成された円筒状部を先端に有する給電線保持片２４ｄと、左側に延伸して形成されたＴ字状の延伸部２４ｈとから構成されている。スペーサ本体２４ａのほぼ中央部には、円形の貫通孔２４ｃが形成されており、貫通孔２４ｃの上部において上面から上方へ延伸する断面Ｌ字状の第１Ｌ字状保持部２４ｂが形成されていると共に、貫通孔２４ｃの下部において下面から下方へ延伸する断面Ｌ字状の第２Ｌ字状保持部２４ｅが形成されている。第１Ｌ字状保持部２４ｂと第２Ｌ字状保持部２４ｅとは、Ｌ字状の先端方向がそれぞれ外を向くように形成されている。給電線保持片２４ｄの円筒状の先端部には挿通孔２４ｆが形成されていると共に、円筒状の下端の外径が若干細径とされてリング状リブ２４ｇが形成されている。また、Ｔ字状の延伸部２４ｈの先端部の所定位置にほぼ円形の突起片２４ｉが突出するよう形成されている。
【００１７】
このような構成のスペーサ２４をアース板２３上に載置して第２Ｌ字状保持部２４ｅをアース板２３の挿着孔２３ｃ内に挿通し、スペーサ２４を挿着孔２３ｃにおける矩形とされている側へスライドさせる。すると、第２Ｌ字状保持部２４ｅのＬ字状とした部位の下面とスペーサ本体２４ａの下面との間にアース板２３における挿着孔２３ｃの矩形とされている部位の周辺が挟持されると共に、給電線保持片２４ｄにおけるリング状リブ２４ｇがアース板２３に形成されている挿通孔２３ｄ内に嵌着されるようになる。これにより、アース板２３がスペーサ２４に位置決めされて固着されるようになる。次いで、この状態のスペーサ２４上にアンテナ板２２を載置して、アンテナ板２２の取付孔２２ｂ内に第１Ｌ字状保持部２４ｂを挿通し、スペーサ２４を取付孔２２ｂにおける矩形とされている側へスライドする。すると、第１Ｌ字状保持部２４ｂのＬ字状とした部位の下面とスペーサ本体２４ａの上面との間にアンテナ板２２における取付孔２２ｂの矩形とされている部位の周辺が挟持されると共に、延伸部２４ｈにおける突起片２４ｉがアンテナ板２２に形成されている位置決め孔２２ｄ内に嵌着されるようになる。これにより、アース板２３が固着されているスペーサ２４にアンテナ板２２が位置決めされて固着されるようになる。
【００１８】
この組立によりアンテナ部１４が組み立てられるようになり、このアンテナ部１４にケーブル１１を配置して、ケーブル１１の絶縁体１１ｂを絶縁性のアース板２３の挿通孔２３dに嵌挿された給電線保持片２４ｄの挿通孔２４ｆ内に挿通して、芯線１１ａをアンテナ板２２の接続孔２２ｃに挿通する。そして、芯線１１ａを接続孔２２ｃにハンダ付けしてケーブル１１をアンテナ板２２に電気的に接続する。この場合、芯線１１ａをアンテナ板２２にハンダ付けする際に芯線１１ａが熱くなって絶縁体１１ｂが溶けても、給電線保持片２４ｄのリング状リブ２４ｇの作用により芯線１１ａはアース板２３から絶縁されるようになる。次いで、ケーブル１１の編組線１１ｃを抱持片２３ｅをカシメ加工して保持することにより、図７ないし図９に示すアンテナ部１４が構成されるようになる。
【００１９】
図５および図６に戻り、下ケース１２に形成されている壁部１２ｇの上に図７ないし図９に示す構成のアンテナ部１４を載置すると、アース板２３の下面が壁部１２ｇの上端面に当接すると共に、３箇所に形成されている折曲片２３ｂの内面が壁部１２ｇの外側面に接触するようになる。また、下ケース１２のリング状溝部１２ｆ内にはパッキン１５のリング部１５ａが嵌入されると共に、引出孔１２ｅにケーブル保持部１５ｂが嵌入されており、ケーブル保持部１５ｂの貫通孔１５ｄ内にケーブル１１が挿通される。この状態において、下ケース１２の上から上ケース１０を下ケース１２のほぼ半ばまで嵌入されるように嵌合する。この嵌合した状態が図５および図６に示す状態となり、上ケース１０に形成されている切欠部１０ｃに下ケース１２に形成されている光放出窓１２ａに嵌着される。さらに、上ケース１０に形成されている壁部１０ｅの下端がリング状溝部１２ｆに嵌入されているパッキン１５のリング部１５ａの上面を圧接すると共に、アンテナ部１４におけるアース板２３の折曲片２３ｂの外面に壁部１０ｅの内周面が当接するようになる。これにより、アース板２３の３辺に形成されている折曲片２３ｂが、上ケース１０に形成されている壁部１０ｅと下ケース１２に形成されている壁部１２ｇとで挟持されるようになり、アンテナ部１４が収納部１０ｄに固着されて収納されるようになる。
【００２０】
また、上ケース１０に形成されている引出孔１０ｂにパッキン１５のケーブル保持部１５ｂが嵌入するようになって、ケーブル保持部１５ｂにより上ケース１０の引出孔１０ｂと下ケース１２の引出孔１２ｅとは水密に固着されるようになる。この場合、上記したように上ケース１０の壁部１０ｅの下端がパッキン１５のリング部１５ａの上面を圧接しているので、アンテナ部１４が収納されている収納部１０ｄは水密に保たれるようになる。このように本発明にかかるアンテナ装置１は水密構造となされている。
【００２１】
ところで、アンテナ装置１から導出されたケーブル１１は車内に設置されているＥＴＣ車載器に接続されている。そして、図５および図６に示すようにアンテナ部１４の下面には発光ダイオード（ＬＥＤ）１６が設けられており、ＬＥＤ１６はＥＴＣ車載器にＥＴＣカードが挿入されていて、そのＥＴＣカードがＥＴＣ車載器に正常に読み込まれた場合にインジケータとして点灯する。ＬＥＤ１６が点灯すると、その光が下ケース１２に形成されている矩形状の凸部１２ｃを透過して四角錐状の反射凹部１２ｂの各斜面で反射される。反射された光は３方向に形成されている導光路１２ｉを伝播して上ケース１０の切欠部１０ｃから突出している３箇所の光放出窓１２ａの波型の端面で散乱されて放出される。また、反射されてケーブル１１の引出孔１２ｅの方向へ伝播された光は引出孔１２ｅの端面から放出される。このように、本発明にかかるアンテナ装置１は矩形状とされたアンテナ装置１の各側面からインジケータとされるＬＥＤ１６の光が放出されることから、アンテナ装置１の取付方向によらずインジケータの光を確認することができる。そして、上記したようにアンテナ装置１は水密構造とされていることから、本発明にかかるアンテナ装置１はオートバイ等に最適のＥＴＣアンテナとすることができる。
【００２２】
次に、本発明のアンテナ装置１における下ケース１２の他の構成を図３０および図３１に示す。図３０は他の構成とされた下ケース３２の構成を断面図で示す側面図であり、図３１は他の構成とされた下ケース３２の構成を示す分解組立図である。
これらの図に示す下ケース３２は、本体部３２ｈと、本体部３２ｈのほぼ中央に嵌合された反射部３２ｃとから構成されている。本体部３２ｈおよび反射部３２ｃは、アクリル樹脂やポリカーボネイトなどの透明の樹脂を成形して形成されている。下ケース３２における本体部３２ｈの上面のほぼ中央には矩形状の所定深さの嵌合凹部３２ｊが形成されており、この嵌合凹部３２ｊに図３１に示すように、嵌合凹部３２ｊとほぼ同形状の外形を有する矩形状の反射部３２ｃが嵌合される。反射部３２ｃの下面には４角錐状の反射凹部３２ｂが形成されている。この反射部３２ｃが嵌合凹部３２ｊに嵌合された際に、反射部３２ｃの側面の３方に連接する導光路３２ｉが突出して本体部３２ｈの上面に形成されており、３本の導光路３２ｉの先端にはそれぞれ光放出窓３２ａが形成されている。光放出窓３２ａの先端面は波形に形成されて放出される光が散乱されるようになされている。また、導光路３２ｉおよび光放出窓３２ａが形成されていない側面にはケーブル１１を導出する引出孔３２ｅが形成されている。なお、ケーブル１１を覆うパッキン１５の外周面に嵌合する半リング状の２本の溝部が引出孔３２ｅに形成されている。
【００２３】
本体部３２ｈの上面には矩形状とされたパッキン１５が嵌入されるリング状溝部３２ｆが形成されており、さらに、リング状溝部３２ｆの内側の面から立ち上がっているリング状の壁部３２ｇが形成されている。また、本体部３２ｈの上面のほぼ中央に形成されている嵌合凹部３２ｊに嵌合されている反射部３２ｃにおける４角錐の反射凹部３２ｂの各斜面で光が反射され、反射された光は３方向に設けた導光路３２ｉを伝搬していき光放出窓３２ａからそれぞれ放射されるようになる。また、引出孔３２ｅ方向に伝搬された光は引出孔３２ｅの端面から放出されるようになる。この下ケース３２における本体部３２ｈの外周形状は、上ケース１０の内周形状とほぼ同形状とされており、上ケース１０を下ケース３２に嵌合することにより、下ケース３２に上ケース１０が固着されると共に、上ケース１０の切欠部１０ｃに３個の光放出窓３２ａがそれぞれ嵌入されて外部に臨むようになる。また、反射凹部３２ｂの各斜面を凸レンズ状に膨出させて反射光を収束して導光路３２ｉに導くようにしても良い。
【００２４】
このように、下ケース３２を本体部３２ｈと、そのほぼ中央に嵌合された反射凹部３２ｂを有する反射部３２ｃとから構成することにより、４角錐状の反射凹部３２ｂが閉空間で形成されるようになって、アンテナ装置１に雨水等がかかっても反射凹部３２ｂ内に雨水が浸入しないようになる。前記した下ケース１２においては反射凹部１２ｂが露出しているため雨水が反射凹部１２ｂの斜面に付着することがあるが、反射凹部１２ｂの斜面に雨水が付着すると反射効率が低下する。しかし、下ケース３２においては閉空間とされた反射凹部３２ｂの斜面に雨水が付着することを防止することができることから、アンテナ装置１に雨水等がかかっても反射凹部３２ｂの反射効率は低下することなく光放出窓３２ａから放出される光を確実に視認することができるようになる。
【産業上の利用可能性】
【００２５】
以上説明した本発明にかかるアンテナ装置において、下ケースが有する反射凹部の形状は４角錐に限らず、多角錐とすることができる。この場合、多角錐の各斜面に対応して複数の導光路と、導光路の先端に光放出窓が形成される。また、本発明にかかるアンテナ装置はＥＴＣアンテナに限ることはなく、オートバイや車両等に搭載するＧＰＳやＶＩＣＳのアンテナに適用することができる。
また、下ケースが有している多角錐状の反射凹部の斜面に金属メッキ等を施すことにより、反射凹部の斜面に汚れや雨水が付着しても反射凹部の斜面の反射効率が低下することを防止できるようにしてもよい。
【図面の簡単な説明】
【００２６】
【図１】本発明の実施例にかかるアンテナ装置の構成を示す平面図である。
【図２】本発明の実施例にかかるアンテナ装置の構成を示す正面図である。
【図３】本発明の実施例にかかるアンテナ装置の構成を示す側面図である。
【図４】本発明の実施例にかかるアンテナ装置の構成を示す背面図である。
【図５】本発明にかかるアンテナ装置の構成をほぼ中央で切断した断面図で示す側面図である。
【図６】本発明にかかるアンテナ装置の構成をほぼ中央で切断した断面図で示す正面図である。
【図７】本発明のアンテナ装置におけるアンテナ部の構成を示す平面図である。
【図８】本発明のアンテナ装置におけるアンテナ部の構成を示す正面図である。
【図９】本発明のアンテナ装置におけるアンテナ部の構成を断面図で示す正面図である。
【図１０】本発明のアンテナ装置における上ケースの構成を示す平面図である。
【図１１】本発明のアンテナ装置における上ケースの構成を示す正面図である。
【図１２】本発明のアンテナ装置における上ケースの構成を示すＡ−Ａ線で切断した断面図である。
【図１３】本発明のアンテナ装置における上ケースの構成を示す背面図である。
【図１４】本発明のアンテナ装置における上ケースの構成を示すＢ−Ｂ線で切断した断面図である。
【図１５】本発明のアンテナ装置における下ケースの構成を示す平面図である。
【図１６】本発明のアンテナ装置における下ケースの構成を示す正面図である。
【図１７】本発明のアンテナ装置における下ケースの構成を示す背面図である。
【図１８】本発明のアンテナ装置における下ケースの構成を示すＣ−Ｃ線で切断した断面図である。
【図１９】本発明のアンテナ装置におけるパッキンの構成を示す平面図である。
【図２０】本発明のアンテナ装置におけるパッキンの構成を示す正面図である。
【図２１】本発明のアンテナ装置におけるパッキンの構成を示す側面図である。
【図２２】本発明のアンテナ装置におけるアンテナ板の構成を示す平面図である。
【図２３】本発明のアンテナ装置におけるアンテナ板の構成を示す正面図である。
【図２４】本発明のアンテナ装置におけるアース板の構成を示す平面図である。
【図２５】本発明のアンテナ装置におけるアース板の構成を示す正面図である。
【図２６】本発明のアンテナ装置におけるアース板の構成を示す側面図である。
【図２７】本発明のアンテナ装置におけるスペーサの構成を示す平面図である。
【図２８】本発明のアンテナ装置におけるスペーサの構成を示す正面図である。
【図２９】本発明のアンテナ装置におけるスペーサの構成を示すＤ−Ｄ線で切断した断面図である。
【図３０】本発明のアンテナ装置における下ケースの他の構成例を断面図で示す側面図である。
【図３１】本発明のアンテナ装置における下ケースの他の構成を示す分解組立図である。
【符号の説明】
【００２７】
１  アンテナ装置、１０  上ケース、１０ａ  ケーブル引出部、１０ｂ  引出孔、１０ｃ  切欠部、１０ｄ  収納部、１０ｅ  壁部、１１  ケーブル、１１ａ  芯線、１１ｂ  絶縁体、１１ｃ  編組線、１２  下ケース、１２ａ  光放出窓、１２ｂ  反射凹部、１２ｃ  凸部、１２ｄ  孔部、１２ｅ  引出孔、１２ｆ  リング状溝部、１２ｇ  壁部、１２ｈ  本体部、１２ｉ  導光路、１４  アンテナ部、１５  パッキン、１５ａ  リング部、１５ｂ  ケーブル保持部、１５ｃ  リング状突出部、１５ｄ  貫通孔、２２  アンテナ板、２２ａ  摂動素子、２２ｂ  取付孔、２２ｃ  接続孔、２２ｄ  位置決め孔、２３  アース板、２３ａ  アース板本体、２３ｂ  折曲片、２３ｃ  挿着孔、２３ｄ  挿通孔、２３ｅ  抱持片、２４  スペーサ、２４ａ  スペーサ本体、２４ｂ  第１Ｌ字状保持部、２４ｃ  貫通孔、２４ｄ  給電線保持片、２４ｅ  第２Ｌ字状保持部、２４ｆ  挿通孔、２４ｇ  リング状リブ、２４ｈ  延伸部、２４ｉ  突起片、３２  下ケース、３２ａ  光放出窓、３２ｂ  反射凹部、３２ｃ  反射部、３２ｅ  引出孔、３２ｆ  リング状溝部、３２ｇ  壁部、３２ｈ  本体部、３２ｉ  導光路、３２ｊ  嵌合凹部
【図１】
0004842225.tif 000002
【図２】
0004842225.tif 000003
【図３】
0004842225.tif 000004
【図４】
0004842225.tif 000005
【図５】
0004842225.tif 000006
【図６】
0004842225.tif 000007
【図７】
0004842225.tif 000008
【図８】
0004842225.tif 000009
【図９】
0004842225.tif 000010
【図１０】
0004842225.tif 000011
【図１１】
0004842225.tif 000012
【図１２】
0004842225.tif 000013
【図１３】
0004842225.tif 000014
【図１４】
0004842225.tif 000015
【図１５】
0004842225.tif 000016
【図１６】
0004842225.tif 000017
【図１７】
0004842225.tif 000018
【図１８】
0004842225.tif 000019
【図１９】
0004842225.tif 000020
【図２０】
0004842225.tif 000021
【図２１】
0004842225.tif 000022
【図２２】
0004842225.tif 000023
【図２３】
0004842225.tif 000024
【図２４】
0004842225.tif 000025
【図２５】
0004842225.tif 000026
【図２６】
0004842225.tif 000027
【図２７】
0004842225.tif 000028
【図２８】
0004842225.tif 000029
【図２９】
0004842225.tif 000030
【図３０】
0004842225.tif 000031
【図３１】
0004842225.tif 000032